【手続補正書】
【提出日】平成20年3月19日(2008.3.19)
【手続補正１】
【補正対象書類名】明細書
【補正対象項目名】特許請求の範囲
【補正方法】変更
【補正の内容】
【特許請求の範囲】
【請求項１】
体積要素の集合によって表される混濁媒質中の異常領域を局所化する方法であって、
・  前記混濁媒質が、主として第一の波長の放射を含む光によって照射され、かつ前記混濁媒質を通る複数の光の経路に沿って透過する、主として前記第一の波長の放射を含む前記光の一部分の強度が、測定される第一の測定ステップと、
・  前記測定強度から前記混濁媒質の像を再構築するための解像ステップとを
含む方法において、
・  前記方法が、前記混濁媒質が、主として、前記第一の波長と同一でない第二の波長の放射を含む光によって照射され、かつ前記混濁媒質を通る複数の光の経路に沿って透過する、主として前記第二の波長の放射を含む前記光の一部分の強度が、測定される第二の測定ステップを含み、かつ
・  前記解像ステップが、
- ある値が、前記測定ステップにおける体積要素について測定された前記強度に基づいて、少なくとも、前記混濁媒質の性質を表す第一のパラメータに割り当てられる第一の計算ステップと、
- ある有意性の値が、少なくとも前記第一のパラメータの前記値に基づいて、前記体積要素に割り当てられる第二の計算ステップと、
前記体積要素の1つに対応する前記像中の一点に対する前記混濁媒質の前記像を表示するための表示ステップとを含む
ことを特徴とする方法。
【請求項２】
前記方法が、前記混濁媒質が、主として、前記第一の波長と同一でなくかつ前記第二の波長と同一でない第三の波長の放射を含む光によって照射され、かつ主として、前記混濁媒質を通る複数の光の経路に沿って透過する前記第三の波長の光を含む前記光の一部分の強度が、測定される、第三の測定ステップを含み、そして
前記第一の計算ステップにおいては、ある値が、前記測定ステップ中の体積要素について測定された前記強度に基づいて、前記第一のパラメータによって表されたものと同一でない前記混濁媒質の特性を表す第二のパラメータに割り当てられ、そして
前記第二の計算ステップにおいては、ある有意性の値が、前記第一のパラメータの前記値および前記第二のパラメータの前記値に基づいて前記体積要素に割り当てられる、
ことを特徴とする請求項１に記載の方法。
【請求項３】
前記第一の波長が、830nmと900nmの間の値をとり、前記第二の波長が、750nmから830nmの間の値をとり、かつ前記第三の波長が、655nmと750nmの間の値をとる、
ことを特徴とする請求項2に記載の方法。
【請求項４】
前記第一のパラメータが、前記体積要素の1つに対応する前記混濁媒質中のある体積中の血液量を表し、そして
前記第二のパラメータが、前記体積要素の1つに対応する前記混濁媒質中のある体積中の血液の脱酸素反応比を表わす、
ことを特徴とする請求項3に記載の方法。
【請求項５】
前記複数のパラメータが、パラメータ空間を定め、
前記第二の計算ステップにおいては、前記体積要素に、前記問題とされる体積要素に対する前記パラメータに割り当てられる前記値に基づいて、前記パラメータ空間中の位置が、割り当てられ、そして
体積要素に割り当てられる前記有意性の値が、前記パラメータ空間中の前記体積要素の前記位置によって決定される
ことを特徴とする請求項1に記載の方法。
【請求項６】
前記パラメータ空間が、少なくとも第一の副空間と第二の副空間に細分され、
前記体積要素には、それらが前記第一の副空間中の位置を占有するときに、第一の有意性の値が割り当てられ、そして
前記体積要素には、それらが前記第二の副空間中の位置を占有するときに、第二の有意性の値が割り当てられる
ことを特徴とする請求項5に記載の方法。
【請求項７】
前記有意性の値が、少なくとも、前記体積要素に割り当てられる前記位置と前記パラメータ空間中のある選択位置との間の距離によって決定される
ことを特徴とする請求項5に記載の方法。
【請求項８】
前記有意性の値が、特に、前記選択位置と相対的な前記体積要素に割り当てられる前記位置の状況により決定される
ことを特徴とする請求項7に記載の方法。
【請求項９】
体積要素の集合で表される混濁媒質中の異常領域を局在化する方法であって、
・  前記混濁媒質が、主として第一の波長の放射からなる光によって照射され、かつ前記混濁媒質を通る複数の光の経路に沿って透過する、主として前記第一の波長の放射を含む前記光の一部分の強度が測定される第一の測定ステップと、
・  前記混濁媒質の像を再構築する解像ステップとを
含む方法において、
・  前記方法が、前記混濁媒質が、主として、前記第一の波長と同一でない第二の波長の放射を含む光によって照射され、かつ前記混濁媒質を通る複数の光の経路に沿って透過する、主として前記第二の波長の放射を含む前記光の一部分の強度が、測定される第二の測定ステップを含み、
・そして、前記解像ステップが、
- ある値が、前記測定ステップにおける体積要素について測定された前記強度に基づいて、少なくとも、前記混濁媒質の性質を表す第一のパラメータに割り当てられる第一の計算ステップと、
- 少なくとも、前記体積要素に対する前記第一のパラメータに割り当てられる前記値から、前記混濁媒質の像を再構築する再構築ステップとを
含むことを特徴とする方法。
【請求項１０】
体積要素の集合により表される、混濁媒質中の異常領域を解像する手段であって、
主として第一の波長の放射を含む光によって前記混濁媒質を照射するための装置と、
前記混濁媒質を通る光の経路に沿って透過する、主として前記第一の波長の放射を含む前記光の一部分の強度を測定するための手段と、
前記測定強度から前記混濁媒質の像を再構築するための手段とを含む装置において、
主として、前記第一の波長と同一でない第二の波長の光を含む光によって前記混濁媒質を照射するための手段と、
前記混濁媒質を通る複数の光の経路に沿って透過した、主として前記第二の波長の放射を含む前記光の一部分の強度を測定するための手段と、
体積要素についての前記測定強度に基づいて、少なくとも、前記混濁媒質の特性を表す第一のパラメータに、ある値を割り当てるための手段と、
少なくとも、前記第一のパラメータの前記値に基づいて、前記体積要素に有意性の値を割り当てるための手段と、
前記体積要素の１つに対応する、前記像中の各点について、前記混濁媒質の前記像中の前記対応する体積要素の前記有意性の値を表示するための手段とを
含むことを特徴とする装置。
【請求項１１】
体積要素の集合で表される混濁媒質の異常領域を解像するための装置であって、
主として第一の波長の放射を含む光によって前記混濁媒質を照射する手段と、
前記混濁媒質を通る複数の光の経路に沿って透過する、主として前記第一の波長の放射を含む前記光の一部分の強度を測定するための手段と、
前記混濁媒質の像を再構築するための手段とを含む装置において、
主として、前記第一の波長と同一でない第二の波長の放射を含む光によって、前記混濁媒質を照射する手段と、
前記混濁媒質を通る複数の光の経路に沿って透過した、主として前記第二の波長の放射を含む前記光の一部分の強度を測定するための手段と、
体積要素についての前記測定強度に基づいて、少なくとも、前記混濁媒質の性質を表す第一のパラメータに、ある値を割り当てるための手段と、
少なくとも、前記体積要素に対する前記第一のパラメータに割り当てられた前記値から、前記混濁媒質の前記像を再構築するための手段とを
含むことを特徴とする装置。
【請求項１２】
請求項1〜9のいずれかに記載の前記方法を実行するための命令の集合を含むコンピュータプログラム。
【請求項１３】
請求項12に記載の前記コンピュータプログラムを含む記録担体。